(57)【要約】【課題】ロール破損が生じ難い複数本のロールをチェーンで連結して駆動するロール駆動装置を提供する。【解決手段】複数のロールを駆動チェーンで連結して一台の駆動モータで一括して駆動するロール駆動系において、ロールのロール軸と駆動チェーンをワンウエイクラッチを介して連結する。【選択図】図１
2009138236.tif 000002
【特許請求の範囲】
【請求項１】
被運搬物を複数のロール上に載置して移動させる装置に用いる、複数のロールを駆動チェーンで連結して一台の駆動モータで一括して駆動するロール駆動装置において、前記ロールのロール軸と前記駆動チェーンはワンウエイクラッチを介して連結されていることを特徴とするロール駆動装置。
【請求項２】
前記ロールがカーボンスリーブロールであることを特徴とする請求項１記載のロール駆動装置。
【発明の詳細な説明】
【技術分野】
【０００１】
本発明は、複数本のロールをチェーンで連結して駆動するロール駆動装置に関し、水平方向に鋼帯を移送させる連続焼鈍炉のロール駆動装置として好適なものに関する。
【背景技術】
【０００２】
水平に鋼帯を移送する連続焼鈍炉や、加熱、均熱、冷却処理を連続して行う横型熱処理炉では、駆動ハースロールを１〜２ｍピッチで配置する。
【０００３】
ハースロールの駆動方式には、炉全長を複数のゾーンに区分して、各ゾーン毎にモータを配置し、チェーンなどを用いてゾーン内のハースロールを一括駆動する方法（一括駆動方式）や各ハースロール毎に駆動用モータを取り付ける方法が採用されている。
【０００４】
図４は、一括駆動方式によるロール駆動装置を説明する図で、（ａ）は上面図、（ｂ）は側面図を示す。ストリップ２は駆動チェーン４で回転する複数のハースロール３上を搬送される。
【０００５】
ハースロール３は数本ごとに駆動チェーン４で連結して一つのグループ６とする。一つのグループ６内で各ハースロール３はその端部に取り付けられた駆動ギヤ５と駆動チェーン４が噛みあって同時に回転する。
【０００６】
特許文献１は、チェーン等を用いてゾーン内のハースロールを一括駆動する方法において、ハースロール若しくはその駆動シャフトにクラッチを設け、隣り合うゾーンの駆動速度のいずれかを自由に選択できるようにしたことを特徴とする。
【０００７】
特許文献２は、チェーン等によるゾーン内のハースロールの一括駆動方式の場合、一つの駆動グループ内で慣性によるハースロール間の周速差が生じやすいこと、及び炉内温度が８００℃以上の高温部におけるハースロールの損耗を防止するため、各ハースロール毎に回転速度を制御する駆動モータを継手を介して取り付けることが記載されている。
【特許文献１】特開平３−２１１２３８号公報
【特許文献２】特開平１１−２８６７３１号公報
【発明の開示】
【発明が解決しようとする課題】
【０００８】
ところで、連続焼鈍処理を行う焼鈍炉のロールには、炉内温度が高温となるため、カーボンスリーブ等の耐熱材が使用され、ゾーン内のハースロールをチェーンで一括駆動する方法の場合、一本の破損が連鎖して複数本が破損する。
【０００９】
すなわち、チェーン駆動の場合、１本のロールの回転がロール破損、ベアリング破損等で急激に停止した場合、チェーンが急激停止して他のロールの回転も急激に止まることになり、衝撃に弱いカーボンスリーブはスリーブとロール軸の嵌合部分で破損しやすい。
【００１０】
焼鈍炉の場合、バーナや配管等が設置・敷設されるため、各ハースロール毎に回転速度制御用の駆動モータを取り付ける方法は採用できない場合が多く、連鎖破損が生じない一括駆動方式の開発が要望されていた。
【００１１】
そこで本発明は、ゾーン内の複数本のロールが一括してチェーン駆動されるロール駆動装置において一本のロールが破損してチェーンが急激に停止しても、他のロール破損の防止が可能なものを提案することを目的とする。
【課題を解決するための手段】
【００１２】
本発明の課題は以下の手段で達成可能である。
１．被運搬物を複数のロール上に載置して移動させる装置に用いる、複数のロールを駆動チェーンで連結して一台の駆動モータで一括して駆動するロール駆動装置において、前記ロールのロール軸と前記駆動チェーンはワンウエイクラッチを介して連結されていることを特徴とするロール駆動装置。
２．前記ロールがカーボンスリーブロールであることを特徴とする１記載のロールの一括駆動方式。
【発明の効果】
【００１３】
本発明によれば、操業中に、チェーン駆動される一群のロールのうち、１本のロールが破損してチェーンが急に停止しても他のロールが破損し難いロール駆動装置が得られ、産業上極めて有用である。
【発明を実施するための最良の形態】
【００１４】
本発明に係るロール駆動装置は、駆動チェーンに噛みあうロールの駆動用ギヤと、ロール軸がワンウエイクラッチを介して結合していることを特徴とする。以下、図面を用いて本発明を詳細に説明する。本発明においてロール軸は、ロールを回転させる駆動軸を指すものとする。
【００１５】
図１は、本発明に係るロール駆動装置におけるワンウエイクラッチの機能を説明する模式図で、ワンウエイクラッチはロール軸端部に固定したギヤ７と駆動用ギヤ５と逆転防止用つめ８で構成される。
【００１６】
駆動用ギヤ５はロール軸１４に対して回転自由となるようにベアリング（図示しない）を介して取り付けられる。逆転防止用つめ８は駆動用ギヤ５に取り付けられて、駆動用ギヤ５の回転をギヤ７に伝達する。
【００１７】
駆動チェーン４により駆動用ギヤ５が矢印ａの方向に回転すると、逆転防止用つめ８がギヤ７に掛かって、ギヤ７を矢印ｂの方向に回転させる。
【００１８】
駆動用ギヤ５とギヤ７が回転している状態から、駆動用ギヤ５が急激に停止するとギヤ７は、その歯で逆転防止用つめ８を押し上げて、矢印ｂの方向に回りつづけ、駆動用ギヤ５と共に停止しない。
【００１９】
図２にワンウエイクラッチを取り付けたハースロールのロール軸端部の具体的的な構成の一例を説明する模式図を、図３に図２のＡ−Ａ´断面図を示す。
【００２０】
これらの図において、３はハースロール、５は駆動用ギヤ、７はギヤ、８は逆転防止用つめ、９はロール架台、１０はベアリングケース、１１はベアリング外輪、１２はベアリング内輪、１３はベアリング、１４はロール軸、１５はベアリングケース、１６はベアリング外輪、１７はベアリング、１８はベアリング内輪、８１は逆転防止用つめを駆動用ギヤ５に取り付ける回転ピンを示す。
【００２１】
駆動用ギヤ５はベアリングを介してロール軸１４に取り付け、ロール軸１４に対して回転自由とする。駆動用ギヤ５に固定されたベアリングケース１５の内部にはベアリング外輪１６が固定され、ベアリング内輪１８はロール軸１４に固定する。
【００２２】
ベアリング１７によってベアリング内輪１８とベアリング外輪１６は互いに自由に回転するので、駆動用ギヤ５とロール軸１４は互いに自由に回転する。
【００２３】
ハースロール３のロール軸１４はベアリングを介してロール架台９に取り付けて、ロール架台９に対して回転自由とする。ロール架台９に固定されたベアリングケース１０の内部にはベアリング外輪１１が固定され、ベアリング内輪１２はロール軸１４に固定する。
ロール軸１４にはギヤ７を固定する。
【００２４】
ベアリング１３によってベアリング内輪１２とベアリング外輪１１は互いに自由に回転するので、ロール架台９に対してロール軸１４は自由に回転する。
【００２５】
駆動用ギヤ５が駆動チェーン４（図示しない）で矢印ａの方向に回転すると、その駆動力は逆転防止用つめ８によりギヤ７に伝達され、ギヤ７が固定されたロール軸１４を回転させる。駆動用ギヤ５が停止すると、ギヤ７はその歯で逆転防止用つめ８を押し上げて回転を続ける。
【００２６】
本発明に係るロール駆動装置は駆動チェーン４で一括駆動される複数のロールに上述した構成の駆動伝達系を設けるので、一つのロールが破損して駆動チェーン４が急激に停止しても他のロールは惰性で回転し、衝撃に弱いカーボンスリーブの場合、スリーブとロール軸の嵌合部分での破損が防止される。
【図面の簡単な説明】
【００２７】
【図１】本発明に係るロール駆動装置におけるワンウエイクラッチの機能を説明する模式図。
【図２】本発明例。
【図３】図２に示す本発明例のＡ−Ａ´断面図。
【図４】一括駆動方式のロール駆動装置を説明する図で、（ａ）は上面図、（ｂ）は側面図。
【符号の説明】
【００２８】
２    ストリップ
４    駆動チェーン
３    ハースロール
６    グループ
５    駆動ギヤ
７    ギヤ
８    逆転防止用つめ
９    ロール架台
１０、１５    ベアリングケース
１１、１６    ベアリング外輪
１２、１８    ベアリング内輪
１３、１７    ベアリング
１４    ロール軸
８１    回転ピン
【図１】
2009138236.tif 000003
【図２】
2009138236.tif 000004
【図３】
2009138236.tif 000005
【図４】
2009138236.tif 000006